(57)【要約】【課題】ユーザーの位置に応じて、情報処理装置の表示する画像の出力先を、画面サイズの異なる複数の表示装置の中から自動的に決定して表示することができる情報処理装置を提供する。【解決手段】情報処理装置は、ユーザーの位置を検出する検出手段と、検出手段によって検出されたユーザーの位置を示す情報に基づいて、画面サイズの異なる複数の表示装置の中から画像の出力先となる表示装置を決定する表示制御手段とを備えることを特徴とする。【選択図】図２
2010072783.tif 000002
【特許請求の範囲】
【請求項１】
ユーザーの位置を検出する検出手段と、前記検出手段によって検出されたユーザーの位置を示す情報に基づいて、画面サイズの異なる複数の表示装置の中から画像の出力先となる表示装置を決定する表示制御手段とを備えることを特徴とする情報処理装置。
【請求項２】
前記検出手段は、少なくとも前記情報処理装置とユーザーとの間の距離を測定することを特徴とする請求項１に記載の情報処理装置。
【請求項３】
前記表示制御手段は、前記検出手段によって測定された前記情報処理装置とユーザーとの間の距離を示す情報に基づいて、
前記距離が遠距離である場合に、出力先を、画面サイズの大きい第１の表示装置に決定し、
前記距離が近距離である場合に、出力先を、画面サイズの小さい第２の表示装置に決定することを特徴とする請求項２に記載の情報処理装置。
【請求項４】
クレードル装置と、前記クレードル装置に装着する情報処理装置と、画面サイズの異なる複数の表示装置とを有する情報処理システムであって、
前記クレードル装置は、ユーザーの位置を検出する検出手段を備え、
前記情報処理装置は、前記クレードル装置に装着された場合に、前記検出手段によって検出されたユーザーの位置を示す情報に基づいて、前記複数の表示装置の中から画像の出力先となる表示装置を決定する表示制御手段を備えることを特徴とする情報処理システム。
【請求項５】
前記検出手段は、少なくとも前記情報処理装置とユーザーとの間の距離を測定することを特徴とする請求項４に記載の情報処理システム。
【請求項６】
前記表示制御手段は、前記検出手段によって測定された前記情報処理装置とユーザーとの間の距離を示す情報に基づいて、
前記距離が遠距離である場合に、画像の出力先を、画面サイズの大きい第１の表示装置に決定し、
前記距離が近距離である場合に、画像の出力先を、画面サイズの小さい第２の表示装置に決定することを特徴とする請求項５に記載の情報処理システム。
【請求項７】
情報処理装置の画像の出力先を制御するプログラムであって、
ユーザーの位置を検出させる検出ステップと、前記検出ステップによって検出されたユーザーの位置を示す情報に基づいて、画面サイズの異なる複数の表示装置の中から画像の出力先となる表示装置を決定させる表示制御ステップとを備えることを特徴とする表示制御プログラム。
【請求項８】
前記検出ステップは、少なくとも前記情報処理装置とユーザーとの間の距離を測定させることを特徴とする請求項７に記載の表示制御プログラム。
【請求項９】
前記表示制御ステップは、前記検出ステップによって測定された前記情報処理装置とユーザーとの間の距離を示す情報に基づいて、
前記距離が遠距離である場合に、出力先を、画面サイズの大きい第１の表示装置に決定させる第１の表示ステップと、
前記距離が近距離である場合に、出力先を、画面サイズの小さい第２の表示装置に決定させる第２の表示ステップとを備えることを特徴とする請求項８に記載の表示制御プログラム。
【発明の詳細な説明】
【技術分野】
【０００１】
本発明は、情報処理装置の、映像データや音声データの出力先の自動切り替え方法に関する。
【背景技術】
【０００２】
近年のパーソナルコンピュータ等の情報処理装置は、ユーザーが、テレビ番組やＤＶＤ（Ｄｉｇｉｔａｌ  Ｖｅｒｓａｔｉｌｅ  Ｄｉｓｃ）等のコンテンツを視聴することができる機能を有しているものが多い。
【０００３】
また、ホームサーバーから、画像データを、ネットワークを介して受信し、クライアント端末となる携帯情報端末において、ホームサーバーで表示している画像データを表示できるものもあり、ホームサーバーにてテレビ放送を受信させたり、ＤＶＤの再生をさせたりすると、これらのコンテンツをクライアント側でも視聴することができる。
【０００４】
一般的に、テレビ番組やＤＶＤの視聴をする際には、ユーザーは、ソファ等に座って、情報処理装置のディスプレイから離れた位置で視聴することが多く、ディスプレイの画面サイズは大きいほうが適当である。
【０００５】
しかしながら、電子メールの送受信、文書作成、ネットサーフィン等の利用シーンで、ユーザーが情報処理装置の操作をする際には、ユーザーは情報処理装置の近くで操作することになるため、ユーザーとディスプレイとの間の距離は短くなり、ディスプレイの画面サイズが大きいと、ディスプレイの画面が見づらい場合がある。
【０００６】
そこで、ディスプレイ画面を、ユーザーに見やすくするために、キーボード又はリモコンと、ディスプレイモニタとの間の距離が離れるほど、ディスプレイモニタの表示領域のサイズを大きくするものがある。
【０００７】
なお、特許文献１には、キーボード又はリモコンと、ディスプレイモニタとの間の距離を検出する距離センサーによって、距離が大きくなるほど、ディスプレイモニタの表示領域のサイズを大きくする情報処理装置について開示されている。
【０００８】
【特許文献１】特開２００５−３０９９３０号公報
【発明の開示】
【発明が解決しようとする課題】
【０００９】
ところで、ノートパソコンやポケット型の携帯情報端末においては、画面サイズが小さいため、ユーザーがディスプレイの位置から離れて、テレビ番組やＤＶＤのコンテンツを視聴するという利用シーンにおいては、ディスプレイの画面が小さすぎて、非常に見づらくなる。
【００１０】
従って、テレビ番組やＤＶＤのコンテンツを視聴するという利用シーンにおいては、情報処理装置のディスプレイの画面サイズが小さいと、表示装置として適当ではない。
【００１１】
一方、近年では、テレビや大画面のプロジェクタ（スクリーン）といった複数の表示装置をリビングルームに備えている家庭もあり、テレビ番組はテレビで視聴し、映画などのＤＶＤのコンテンツはプロジェクタで視聴するといった、利用シーンに応じた表示装置の使い分けが行われている。
【００１２】
そこで、本発明は、ユーザーの位置に応じて、情報処理装置の表示する画像の出力先を、画面サイズの異なる複数の表示装置の中から自動的に決定して表示することができる情報処理装置を提供することを目的とする。
【課題を解決するための手段】
【００１３】
本発明の第１の情報処理装置は、ユーザーの位置を検出する検出手段と、前記検出手段によって検出されたユーザーの位置を示す情報に基づいて、画面サイズの異なる複数の表示装置の中から画像の出力先となる表示装置を決定する表示制御手段とを備えることを特徴とする。
【００１４】
本発明の第２の情報処理装置は、さらに、前記検出手段は、少なくとも前記情報処理装置とユーザーとの間の距離を測定することを特徴とする。
【００１５】
本発明の第３の情報処理装置は、さらに、前記表示制御手段は、前記検出手段によって測定された前記情報処理装置とユーザーとの間の距離を示す情報に基づいて、前記距離が遠距離である場合に、出力先を、画面サイズの大きい第１の表示装置に決定し、前記距離が近距離である場合に、出力先を、画面サイズの小さい第２の表示装置に決定することを特徴とする。
【００１６】
本発明の第１の情報処理システムは、クレードル装置と、前記クレードル装置に装着する情報処理装置と、画面サイズの異なる複数の表示装置とを有する情報処理システムであって、前記クレードル装置は、ユーザーの位置を検出する検出手段を備え、前記情報処理装置は、前記クレードル装置に装着された場合に、前記検出手段によって検出されたユーザーの位置を示す情報に基づいて、前記複数の表示装置の中から画像の出力先となる表示装置を決定する表示制御手段を備えることを特徴とする。
【００１７】
本発明の第２の情報処理システムは、さらに、前記検出手段は、少なくとも前記情報処理装置とユーザーとの間の距離を測定することを特徴とする。
【００１８】
本発明の第３の情報処理システムは、さらに、前記検出手段によって測定された前記情報処理装置とユーザーとの間の距離を示す情報に基づいて、前記距離が遠距離である場合に、画像の出力先を、画面サイズの大きい第１の表示装置に決定し、前記距離が近距離である場合に、画像の出力先を、画面サイズの小さい第２の表示装置に決定することを特徴とする。
【００１９】
本発明の第１の表示制御プログラムは、情報処理装置の画像の出力先を制御するプログラムであって、ユーザーの位置を検出させる検出ステップと、前記検出ステップによって検出されたユーザーの位置を示す情報に基づいて、画面サイズの異なる複数の表示装置の中から画像の出力先となる表示装置を決定させる表示制御ステップとを備えることを特徴とする。
【００２０】
本発明の第２の表示制御プログラムは、さらに、前記検出ステップは、少なくとも前記情報処理装置とユーザーとの間の距離を測定させることを特徴とする。
【００２１】
本発明の第３の表示制御プログラムは、さらに、前記表示制御ステップは、前記検出ステップによって測定された前記情報処理装置とユーザーとの間の距離を示す情報に基づいて、前記距離が遠距離である場合に、出力先を、画面サイズの大きい第１の表示装置に決定させる第１の表示ステップと、前記距離が近距離である場合に、出力先を、画面サイズの小さい第２の表示装置に決定させる第２の表示ステップとを備えることを特徴とする。
【発明の効果】
【００２２】
本発明によれば、ユーザーの位置に応じて、情報処理装置が表示する画像の出力先を、画面サイズの異なる複数の表示装置の中から自動的に決定して出力することができる情報処理装置を提供することができる。
【発明を実施するための最良の形態】
【００２３】
以下、図面を参照して本発明を実施するための最良の形態について説明する。図１は、第１の本発明の実施の形態の情報処理装置を説明する説明するためのブロック図である。
【００２４】
図１を参照すると、情報処理装置１０は、制御部２０と、センサ３０とを有し、さらに、表示装置４０と、表示装置５０と、表示装置６０とが接続されている。
【００２５】
まず、本発明の実施の形態の情報処理装置１０の概略を説明すると、この情報処理装置は、ユーザーの位置情報を検出するセンサ３０を有しており、検出された当該位置情報に基づいて、情報処理装置１０の表示する画像の出力先である表示装置を決定して、決定された表示装置に表示するものである。以下、詳細に説明する
制御部２０は、記録媒体に格納されたプログラムを実行することにより、位置判定手段２１と、出力制御手段２２とを、論理的に備える。なお、各手段の動作については後述する。ここで、位置判定手段２１と、出力制御手段２２とは、それぞれ専用のハードウェアで構成されても良い。
【００２６】
センサ３０は、情報処理装置１０が設置されている部屋の、ユーザーの位置情報を自動検出することができる。より具体的には、例えば、情報処理装置１０とユーザーとの間の距離によって、ユーザーの位置を測定することのできる測距センサである。また、センサ３０の正面の方向に対して、ユーザーの位置が、どの角度の方向となるかを示す情報もあわせて取得することができるセンサであれば、より正確なユーザーの位置情報を検出することができる。
【００２７】
表示装置４０は、例えば、情報処理装置１０のディスプレイ装置であり、表示装置５０や表示装置５０よりも相対的に画面サイズが小さい表示装置である。
【００２８】
表示装置５０は、例えば、テレビ装置であり、表示装置４０より画面サイズが相対的に大きいが、表示装置６０よりも相対的に画面サイズが小さい表示装置である。
【００２９】
表示装置６０は、例えば、プロジェクタ（スクリーン）装置であり、表示装置４０や表示装置５０よりも相対的に画面サイズが大きい表示装置である。
【００３０】
次に、図２を参照して、第１の本発明の実施の形態の動作について説明する。図２は、第１の本発明の実施の形態の動作を説明するためのフローチャートである。
【００３１】
図２を参照すると、情報処理装置１０を起動すると、まずセンサ３０がユーザーの検出を行う（ステップＳ１１）。
【００３２】
なお、情報処理装置１０が起動された状態とは、例えば、情報処理装置１０に電源が供給された状態をいう。
【００３３】
ステップＳ１１で、ユーザーの検出を行うと（ステップＳ１１／ＹＥＳ）、位置判定手段２１は、センサ３０を介して、ユーザーの位置情報を取得する（ステップＳ１２）。
【００３４】
一方、ステップＳ１１で、ユーザーの検出が行われない場合には（ステップＳ１１／ＮＯ）、ステップＳ１１の処理に戻り、繰り返す。
【００３５】
ステップＳ１２で、ユーザーの位置情報を取得すると、予めユーザによって設定されている位置情報と出力機器の対応情報（テーブル）に基づいて、出力制御手段２２は、どの表示装置に画像を出力するかを設定する（ステップＳ１３）。
【００３６】
上記の対応情報（テーブル）の一例を、図８を参照して説明する。図８によれば、ユーザーと情報処理装置１０との間の距離が１メートル以内であれば、出力先は表示装置４０となる。同様に、ユーザーと情報処理装置１０との間の距離が、１メートルから２メートルの間である場合には、出力先は表示装置５０となり、２メートル以上の場合には、出力先は表示装置６０となる。なお、例えば、ユーザーと情報処理装置１０との間の距離が、ちょうど１メートルであった場合のように重複する範囲がある場合には、例えば、表示装置４０と表示装置５０との両方に出力させるようにしても良い。また、対応情報は、ユーザーの操作により、随時変更できるようにしても良い。
【００３７】
ステップＳ１３で、画像の出力先が設定されると、出力制御手段２２が、設定された表示装置に画像を表示させる（ステップＳ１４）。
【００３８】
なお、ステップＳ１４の処理が終了すると、再びステップＳ１１の処理に戻り、ユーザーの位置情報に基づいて、所定の時間毎に、出力先の設定を繰り返すようにしても良い。
【００３９】
また、本実施の形態では、出力先として表示装置を例に説明したが、ユーザーの位置情報に基づき、音声データの出力先を。情報処理装置内蔵のスピーカーに設定するか、外部スピーカーに設定するかを決定するようにしても良い。
【００４０】
図３は、第２の本発明の実施の形態の情報処理装置を説明するためのブロック図である。
【００４１】
図３を参照すると、情報処理装置１０は、制御部２０と、センサ３０と、表示部７０とを有し、さらに、表示装置５０と、表示装置６０とが接続されている。
【００４２】
第２の本発明の実施の形態においては、情報処理装置１０に表示部７０が内蔵されており、情報処理装置１０は、具体的には、ノートパソコンや携帯型情報端末である。
【００４３】
第２の本発明の実施の形態における動作については、第１の本発明の実施の形態における動作と同様である。例えば、第１の本発明の実施の形態において、ユーザーと情報処理装置１０との間の距離が１メートル以内の場合には、出力先が表示部７０となる。また、ユーザーと情報処理装置１０との間の距離が、１メートルから２メートルの間である場合には、出力先は表示装置５０となり、２メートル以上の場合には、出力先は表示装置６０となる。なお、例えば、ユーザーと情報処理装置１０との間の距離が、ちょうど１メートルであった場合のように重複する範囲がある場合には、例えば、表示部７０と表示装置５０との両方に出力させるようにしても良い。
【００４４】
図４は、第３の本発明の実施の形態の情報処理装置を説明するためのブロック図である。
【００４５】
図４を参照すると、情報処理装置１０は、制御部２０と、表示部７０とを有し、表示装置５０と、表示装置６０とが接続されている。
【００４６】
なお、第３の本発明の実施の形態では、制御部２０は、記録媒体に格納されたプログラムを実行することにより、位置判定手段２１と、出力制御手段２２と、モード切替手段２３とを、論理的に備える。ここで、位置判定手段２１と、出力制御手段２２と、クレードル判定手段２３とは、それぞれ専用のハードウェアで構成されても良い。
【００４７】
また、情報処理装置１０は、図６に示すように、クレードル装置８０に装着可能となっており、具体的には、タブレット型の情報端末である。なお、クレードル装置８０には、センサ３０が内蔵されている。
【００４８】
次に、図５を参照して、第３の本発明の実施の形態の動作について説明する。図５は、第３の本発明の実施の形態の動作を説明するためのフローチャートである。
【００４９】
図５を参照すると、情報処理装置１０を起動すると、クレードル判定手段２３が、情報処理装置１０がクレードル装置８０に装着されているかを判定する（ステップＳ２１）。
【００５０】
なお、情報処理装置１０が起動された状態とは、例えば、情報処理装置１０に電源が供給された状態をいう。
【００５１】
情報処理装置１０が、クレードル装置８０に装着されている場合には、クレードル装置８０に接続されているキーボードを介して、通常のノートパソコンのように使用することが可能となっている。一方、情報処理装置１０が、クレードル装置８０に装着されていない場合には、情報処理装置１０はタブレット型の情報端末の状態である。
【００５２】
ステップＳ２１で、クレードル装置８０に装着されていると判定すると（ステップＳ２１／ＹＥＳ）、センサ３０がユーザーの検出を行う（ステップＳ２２）。
【００５３】
ステップＳ２１で、クレードル装置８０に装着されていないと判定された場合には（ステップＳ２１／ＮＯ）、再びステップＳ２１の処理に戻り、繰り返す。
【００５４】
ステップＳ２２で、ユーザーの検出を行うと（ステップＳ２２／ＹＥＳ）、位置判定手段２１は、センサ３０を介して、ユーザーの位置情報を取得する（ステップＳ２３）。
【００５５】
一方、ステップＳ２２で、ユーザーの検出が行われない場合には（ステップＳ２２／ＮＯ）、ステップＳ２１の処理に戻り、繰り返す。
【００５６】
ステップＳ２３で、ユーザーの位置情報を取得すると、予めユーザによって設定されている位置情報と出力機器の対応情報に基づいて、出力制御手段２２は、どの表示装置に画像を出力するかを設定する（ステップＳ２４）。
【００５７】
上記の対応情報（テーブル）の一例を、図９を参照して説明する。図９によれば、ユーザーと情報処理装置１０との間の距離が１メートル以内であれば、出力先は表示部７０となる。同様に、ユーザーと情報処理装置１０との間の距離が、１メートルから２メートルの間である場合には、出力先は表示装置５０となり、２メートル以上の場合には、出力先は表示装置６０となる。なお、例えば、ユーザーと情報処理装置１０との間の距離が、ちょうど１メートルであった場合のように重複する範囲がある場合には、例えば、表示部７０と表示装置５０との両方に出力させるようにしても良い。また、対応情報は、ユーザーの操作により、随時変更できるようにしても良い。
【００５８】
ステップＳ２３で、画像の出力先が設定されると、出力制御手段２２が、設定された表示装置に画像を表示させる（ステップＳ２５）。
【００５９】
なお、ステップＳ２５の処理が終了すると、再びステップＳ２１の処理に戻り、ユーザーの位置情報に基づいて、所定の時間毎に、出力先の設定を繰り返すようにしても良い。
【００６０】
また、本実施の形態では、出力先として表示装置を例に説明したが、ユーザーの位置情報に基づき、音声データの出力先を。情報処理装置内蔵のスピーカーに設定するか、外部スピーカーに設定するかを決定するようにしても良い。
【００６１】
以上のような処理により、例えば、図７に示すような、リビングルームにおいて、情報処理装置１０と、表示装置５０と表示装置６０といった複数の表示装置が設置されている場合に、ユーザーの位置によって、情報処理装置１０の表示する画像の出力先を自動的に決定して表示することができる。
【００６２】
より具体的には、図７を参照すると、ソファ２００にユーザーが座っている場合には、表示装置５０に画像を出力するようにし、ソファ１００にユーザーが座っている場合には、表示装置６０に画像を出力するようにする。
【００６３】
ところで、本発明の実施の形態では、表示装置（表示部）は３台あるが、複数であれば、３台でなくても同様の効果を奏する。
【図面の簡単な説明】
【００６４】
【図１】第１の本発明の実施の形態の情報処理装置を説明するためのブロック図である。
【図２】第１の本発明の実施の形態の情報処理装置の動作を説明するためのフローチャートである。
【図３】第２の本発明の実施の形態の情報処理装置を説明するためのブロック図である。
【図４】第３の本発明の実施の形態の情報処理装置を説明するためのブロック図である。
【図５】第３の本発明の実施の形態の情報処理装置の動作を説明するためのフローチャートである。
【図６】第３の本発明の実施の形態の情報処理装置とクレードル装置の一例を説明するための図である。
【図７】本発明の実施の形態に係る情報処理装置が設置されている部屋の一例を説明するための図である。
【図８】本発明の実施の形態のユーザーの位置情報と対応する出力先の表示装置を決定するテーブルの第１の例を説明するための図である。
【図９】本発明の実施の形態のユーザーの位置情報と対応する出力先の表示装置を決定するテーブルの第２の例を説明するための図である。
【符号の説明】
【００６５】
１０  情報処理装置
２０  制御部
２１  位置判定手段
２２  出力制御手段
２３  クレードル判定手段
３０  センサ
４０  表示装置
５０  表示装置
６０  表示装置
７０  表示部
８０  クレードル装置
１００  ソファ
２００  ソファ
【図１】
2010072783.tif 000003
【図２】
2010072783.tif 000004
【図３】
2010072783.tif 000005
【図４】
2010072783.tif 000006
【図５】
2010072783.tif 000007
【図６】
2010072783.tif 000008
【図７】
2010072783.tif 000009
【図８】
2010072783.tif 000010
【図９】
2010072783.tif 000011